(57)【特許請求の範囲】
【請求項１】
上側にノブ開口が設けられたケースと、
前記ケースの内部に上下方向の軸を中心に回転可能に設置され、上側が前記ノブ開口を介して前記ケースの外部に露出した操作ノブと、
それぞれ弾性変形可能なチューブを有し、前記チューブが前記ケースの前記操作ノブの外周面に対向する内側面の１つに水平方向に沿って互いに異なる高さに配置され、薬液が互いに異なる流量で流れる複数の薬液移送ラインと、
前記薬液移送ラインからの薬液を合流させる薬液合流機構と、
前記ケースの前記チューブが配置される内側面に、前記操作ノブとの間に互いに異なる高さの前記チューブが介在するように配置され、前記チューブがそれぞれ収容される収容溝部が前記チューブの配置方向に長く設けられたチューブ支持部材と、
前記チューブ支持部材の長さ方向の両端部にそれぞれ結合され、前記収容溝部に収容された前記チューブの離脱が防止されるように前記収容溝部の両端部をそれぞれ覆う両側の２つの溝部カバーと、
前記操作ノブと前記チューブとの間で前記チューブと対応する各高さに水平方向に配置され、前記２つの溝部カバーの一方に一端が前記２つの溝部カバーの他方に他端が接続された複数の板バネであって、それぞれの板バネの中央部におけるチューブに臨む側の面に、板バネがチューブに向かって曲がるとチューブを圧迫して管路を閉鎖させる加圧部が設けられ、それぞれの板バネの中央部における操作ノブの外周に臨む側の面に、操作ノブの外周面に接触して前記板バネの中央部をチューブ側に湾曲させる突出部が設けられた複数の板バネと、
前記操作ノブの外周面における、前記板バネと対応する各高さに少なくとも一つずつ設けられた凹部であって、前記操作ノブが回転して前記凹部が対応する高さ上の前記板バネと対向するように位置すると、前記板バネの加圧部が前記凹部に係合して対向する前記板バネによる前記チューブの圧迫が解除されるように、対向する前記板バネを復元させるとともに、前記操作ノブの回転角度に応じて前記板バネをすべて復元させるか、或いは前記板バネのうちの少なくとも一つを凸状に曲がった状態で維持させることができるように配置された凹部と、を含むことにより、
前記操作ノブの回転角度に応じて、前記薬液移送ラインがすべて開放されるか或いは前記薬液移送ラインのうちの少なくとも一つが閉鎖されながら、前記薬液合流機構からの薬液流量が調節され、
前記チューブ、前記チューブ支持部材及び前記板バネが前記操作ノブの外周領域の一側に集中的に配置された、薬液流量制御装置。
【請求項２】
前記板バネは、
対応する各高さ上の前記チューブに臨む側の中央部分に加圧部が突設され、
前記操作ノブの外周に臨む側の部分には前記操作ノブの回転角度に応じて前記操作ノブの外周に接触するか或いは前記凹部に進入する突出部が設けられた、請求項１に記載の薬液流量制御装置。
【請求項３】
前記ケースの内壁におけるチューブ支持部材側には、前記ケースの内壁との間にそれぞれ挿入溝部を形成する２つの嵌合顎部が両側に設けられ、
前記チューブ支持部材には、前記２つの嵌合顎部によって形成された前記挿入溝部にそれぞれスライド方式で嵌め込まれる嵌込部が設けられた、請求項１に記載の薬液流量制御装置。
【請求項４】
前記薬液流量制御装置は、前記操作ノブの回転操作に用いられる操作ハンドルをさらに含み、
前記操作ノブは上面が前記ノブ開口内に位置し、
前記操作ノブの上面には嵌合溝部が上下方向に設けられ、
前記操作ハンドルは、前記操作ノブの回転操作の際に前記嵌合溝部に嵌め込まれ、前記嵌合溝部に対応する形状に形成された嵌合ロッドを有する、請求項１に記載の薬液流量制御装置。
【請求項５】
前記ケースと前記操作ノブとの間で前記操作ノブを所定の角度に応じて回転させることができるように位置を決定する回転角度決定手段をさらに含む、請求項１に記載の薬液流量制御装置。
【請求項６】
前記回転角度決定手段は、
前記操作ノブの下側に円周方向に沿って前記所定の角度間隔で設けられた複数の係止溝部と、
前記ケースに前記操作ノブの回転角度に応じて前記係止溝部のうちの少なくとも一つに係合されるように設けられた係止突起とを含む、請求項５に記載の薬液流量制御装置。
【請求項７】
薬液流入ラインから分岐されて薬液流出ラインに接続された第１移送ラインと、
上側にノブ開口が設けられたケースと、
前記ケースの内部に上下方向の軸を中心に回転可能に設置され、上側が前記ノブ開口を介して前記ケースの外部に露出した操作ノブと、
前記薬液流入ラインから分岐され、それぞれ弾性変形可能なチューブを有し、前記チューブが前記ケースの前記操作ノブの外周面に対向する内側面の１つに水平方向に沿って互いに異なる高さに配置され、薬液が互いに異なる流量で流れる複数の第２移送ラインと、
前記第２移送ラインからの薬液を合流させる薬液合流機構、及び前記薬液合流機構からの薬液を前記薬液流出ラインに提供する薬液合流ラインと、
薬液合流ライン上に備えられ、前記第２移送ラインからの薬液が貯留され、外力が加わると、貯留された薬液を薬液流出ライン側へ圧送するボーラスバッグを有する薬液圧送ユニットと、
前記ケースの前記チューブが配置される内側面に、前記操作ノブとの間に互いに異なる高さの前記チューブが介在するように配置され、前記チューブがそれぞれ収容される収容溝部が前記チューブの配置方向に長く設けられたチューブ支持部材と、
前記チューブ支持部材の長さ方向の両端部にそれぞれ結合され、前記収容溝部に収容された前記チューブの離脱が防止されるように前記収容溝部の両端部をそれぞれ覆う両側の２つの溝部カバーと、
前記操作ノブと前記チューブとの間で前記チューブと対応する各高さに水平方向に配置され、前記２つの溝部カバーの一方に一端が前記２つの溝部カバーの他方に他端が接続された複数の板バネであって、それぞれの板バネの中央部におけるチューブに臨む側の面に、板バネがチューブに向かって曲がるとチューブを圧迫して管路を閉鎖させる加圧部が設けられ、それぞれの板バネの中央部における操作ノブの外周に臨む側の面に、操作ノブの外周面に接触して前記板バネの中央部をチューブ側に湾曲させる突出部が設けられた複数の板バネと、
前記操作ノブの外周面における、前記板バネと対応する各高さに少なくとも一つずつ設けられた凹部であって、前記操作ノブが回転して前記凹部が対応する高さ上の前記板バネと対向するように位置すると、前記板バネの加圧部が前記凹部に係合して対向する前記板バネによる前記チューブの圧迫が解除されるように、対向する前記板バネを復元させるとともに、前記操作ノブの回転角度に応じて前記板バネをすべて復元させるか、或いは前記板バネのうちの少なくとも一つを凸状に曲がった状態で維持させることができるように配置された凹部と、を含むことにより、
前記操作ノブの回転角度に応じて、前記第２移送ラインがすべて開放されるか或いは前記第２移送ラインのうちの少なくとも一つが閉鎖されながら、前記薬液合流機構から前記ボーラスバッグへの薬液流量が調節され、
前記チューブ、前記チューブ支持部材及び前記板バネが前記操作ノブの外周領域の一側に集中的に配置された、薬液注入器。
【請求項８】
前記板バネは、
対応する各高さ上の前記チューブに臨む側の中央部分に加圧部が突設され、
前記操作ノブの外周に臨む側の部分には前記操作ノブの回転角度に応じて前記操作ノブの外周に接触するか或いは前記凹部に進入する突出部が設けられた、請求項７に記載の薬液注入器。
【請求項９】
前記ケースの内壁における前記チューブ支持部材の側には、前記ケースの内壁との間にそれぞれ挿入溝部を形成する２つの嵌合顎部が両側に設けられ、
前記チューブ支持部材には、前記２つの嵌合顎部によって形成された前記挿入溝部にそれぞれスライド方式で嵌め込まれる嵌込部が設けられた、請求項７に記載の薬液注入器。
【発明の詳細な説明】
【技術分野】
【０００１】
本発明は、主に患者に鎮痛剤や抗生剤などの薬液を投与するときの投与量（流量）の調節に使用される制御装置、及びこれを含む薬液注入器に関する。
【背景技術】
【０００２】
一般に、癌患者には特殊な抗生剤を投与して癌を治療し、痛みの管理が要求される患者には痛みを緩和させる目的で鎮痛剤を投与するが、特殊な抗生剤や鎮痛剤などの薬液は、他の一般的な薬液とは異なり、過剰に投与する場合には患者が昏睡状態やショック死に陥ることがあり、逆に投与量が少ない場合には薬液による目的達成を正確に成し遂げることができないので、許容範囲内で正確な量を投与することが非常に重要である。
【０００３】
以前は、ほとんどが注射器を用いて薬液を投与した。しかし、注射器を用いる方式は、注射器操作者の熟練度等に応じて薬液の投与量が決定されるうえ、薬液を投与するたびに、操作者が関与し続けなければならないので、時間当たりの薬液投与量を一定に維持することが非常に難しかった。すなわち、薬液投与量の管理及び維持が容易でなかった。
【０００４】
他の方式としては、薬液投与のためのホースに投与量調節機構を設置して投与量を調節する方式がある。しかし、この方式は、投与量調節機構がホースを加圧する程度に応じて投与量が調節されるので、随時変化する患者の状態などに応じて、必要とされる量の養液を正確に投与することが難しかった。
【発明の概要】
【発明が解決しようとする課題】
【０００５】
本発明の実施形態は、薬液が所要の流量で投与されるようにより正確に調節することができる薬液流量制御装置、及びこのような薬液流量制御装置を含む薬液注入器を提供することを目的とする。
【課題を解決するための手段】
【０００６】
本発明の実施形態によれば、回転操作可能な操作ノブと、それぞれ弾性変形可能なチューブを有し、前記操作ノブの外周の一側に前記チューブが互いに異なる高さに位置するように配置された複数の薬液移送ラインと、前記操作ノブとの間に前記チューブが位置するように配置された状態で前記チューブを支持するチューブ支持部材と、前記複数の薬液移送ラインからの薬液を単一の流れとなるように合流させる薬液合流機構と、前記操作ノブの回転角度に応じて、前記複数の薬液移送ラインがすべて開放されるか或いは前記複数の薬液移送ラインのうちの少なくとも一つが閉鎖されるように、前記チューブを選択的に圧迫または圧迫解除する管路開閉手段とを含んでなる、薬液流量制御装置が提供される。
【０００７】
前記管路開閉手段は、前記操作ノブとチューブとの間に位置するように前記チューブと対応する各高さに配置され、それぞれ前記操作ノブの外周と接触することにより前記チューブ側に曲がって前記各高さ上のチューブを圧迫する複数の板バネと、前記操作ノブの外周における、前記板バネと対応する各高さに少なくとも一つずつ設けられ、それぞれ凹状をして、前記対応する高さ上の板バネと対向するように位置すると、前記対向する板バネによるチューブの圧迫が解除されるように前記対向する板バネを復元させる凹部とを含み、前記各高さ上の凹部は、前記操作ノブの回転角度に応じて、前記チューブに対する板バネの圧迫がすべて解除されるか或いは前記チューブのうちの少なくとも一つが前記板バネによって圧迫されるように配置できる。
【０００８】
前記板バネは、前記チューブに臨む側には加圧部が突設され、前記操作ノブの外周に臨む側には前記操作ノブの外周に接触するか或いは前記凹部に進入する突出部が設けられ得る。
【０００９】
前記チューブ支持部材には、前記チューブがそれぞれ収容される収容溝部が設けられ、前記収容溝部に収容されたチューブは、前記チューブ支持部材の両側にそれぞれ結合され、前記収容溝部の両端部を覆うカバーによって離脱が防止され、前記板バネは、前記両側のカバーに両端部がそれぞれ接続できる。
【００１０】
本発明の実施形態によれば、回転操作可能な操作ノブと、薬液流入ラインから分岐されて薬液流出ラインに接続された第１移送ラインと、前記第１移送ライン上に備えられ、前記第１移送ラインに沿って流れる薬液が貯留され、貯留された薬液を前記薬液流出ライン側へ圧送する薬液圧送ユニットと、前記薬液流入ラインから分岐され、それぞれ弾性変形可能なチューブを有し、前記操作ノブの外周の一側に前記チューブが互いに異なる高さに位置するように配置された複数の第２移送ラインと、前記操作ノブとの間に前記チューブが位置するように配置された状態で前記チューブを支持するチューブ支持部材と、前記薬液流出ラインに接続され、前記複数の第２移送ラインからの薬液を単一の流れとなるように合流させる薬液合流機構と、前記操作ノブの回転角度に応じて、前記複数の第２移送ラインがすべて開放されるか或いは前記複数の第２移送ラインのうちのの少なくとも一つが閉鎖されるように、前記チューブを選択的に圧迫または圧迫解除する管路開閉手段とを含んでなる、薬液注入器が提供できる。
【００１１】
本発明の実施形態に係る薬液注入器は、前記操作ノブと薬液圧送ユニットがそれぞれ外部から操作可能に装着されたケースと、前記操作ノブとケースとの間で前記操作ノブを所定の角度に応じて回転させることができるように位置を決定する回転角度決定手段とをさらに含むことができる。
【００１２】
ここで、前記回転角度決定手段は、前記操作ノブの下側に円周方向に沿って前記所定の角度間隔で設けられた複数の係止溝部と、前記ケースに前記操作ノブの回転角度に応じて前記複数の係止溝部のうちの少なくとも一つに係合される係止突起とを含むことができる。
【００１３】
本発明の実施形態によれば、回転操作可能な操作ノブと、薬液流入ラインから分岐され、それぞれ弾性変形可能なチューブを有し、前記操作ノブの外周の一側に前記チューブが互いに異なる高さに位置するように配置された複数の第１移送ラインと、前記操作ノブとの間に前記チューブが位置するように配置された状態で前記チューブを支持するチューブ支持部材と、前記複数の第１移送ラインからの薬液を単一の流れとなるように合流させる薬液合流機構と、前記薬液合流機構からの薬液を薬液流出ラインに提供する合流ラインと、前記合流ライン上に備えられ、前記複数の第１移送ラインからの薬液が貯留され、貯留された薬液を前記薬液流出ライン側へ圧送する薬液圧送ユニットと、前記薬液流入ラインから分岐され、前記薬液流出ラインに接続された第２移送ラインと、前記操作ノブの回転角度に応じて、前記複数の第１移送ラインがすべて開放されるか或いは前記複数の第１移送ラインのうちの少なくとも一つが閉鎖されるように、前記チューブを選択的に圧迫または圧迫解除する管路開閉手段とを含んでなる、薬液注入器が提供できる。
【発明の効果】
【００１４】
本発明は、薬液の流量を精度よく調節して投与対象に定量の薬液を投与することができる。
【図面の簡単な説明】
【００１５】
【図１】本発明の第１実施形態に係る薬液流量制御装置を示す斜視図および分解斜視図である。
【図２】本発明の第１実施形態に係る薬液流量制御装置を示す斜視図および分解斜視図である。
【図３】本発明の第１実施形態に係る薬液流量制御装置の内部構造を示す斜視図である。
【図４】図１及び図２に示された操作ノブを示す斜視図である。
【図５】図１のＡ−Ａ線に沿った断面図である。
【図６】図５のＢ−Ｂ線及びＣ−Ｃ線に沿った断面図である。
【図７】図５のＢ−Ｂ線及びＣ−Ｃ線に沿った断面図である。
【図８】本発明の第１実施形態に係る薬液流量制御装置の操作ノブの回転角度による薬液移送ラインの開閉を示す使用状態図である。
【図９】本発明の第１実施形態に係る薬液流量制御装置の操作ノブの回転角度による薬液移送ラインの開閉を示す使用状態図である。
【図１０】本発明の第１実施形態に係る薬液流量制御装置の操作ノブの回転角度による薬液移送ラインの開閉を示す使用状態図である。
【図１１】本発明の第１実施形態に係る薬液流量制御装置の操作ノブの回転角度による薬液移送ラインの開閉を示す使用状態図である。
【図１２】本発明の第２実施形態に係る薬液流量制御装置を示す分解斜視図である。
【図１３】本発明の第２実施形態に係る薬液流量制御装置の操作ノブの回転角度による薬液移送ラインの開閉を示す使用状態図である。
【図１４】本発明の第２実施形態に係る薬液流量制御装置の操作ノブの回転角度による薬液移送ラインの開閉を示す使用状態図である。
【図１５】本発明の第２実施形態に係る薬液流量制御装置の操作ノブの回転角度による薬液移送ラインの開閉を示す使用状態図である。
【図１６】本発明の第２実施形態に係る薬液流量制御装置の操作ノブの回転角度による薬液移送ラインの開閉を示す使用状態図である。
【図１７】本発明の第２実施形態に係る薬液流量制御装置の操作ノブの回転角度による薬液移送ラインの開閉を示す使用状態図である。
【図１８】本発明の第２実施形態に係る薬液流量制御装置の操作ノブの回転角度による薬液移送ラインの開閉を示す使用状態図である。
【図１９】本発明の第２実施形態に係る薬液流量制御装置の操作ノブの回転角度による薬液移送ラインの開閉を示す使用状態図である。
【図２０】本発明の第２実施形態に係る薬液流量制御装置の操作ノブの回転角度による薬液移送ラインの開閉を示す使用状態図である。
【図２１】本発明の第３実施形態に係る薬液流量制御装置を示す分解斜視図である。
【図２２】本発明に係る薬液注入装置の一例を示す平面図、斜視図および構成図である。
【図２３】本発明に係る薬液注入装置の一例を示す平面図、斜視図および構成図である。
【図２４】本発明に係る薬液注入装置の一例を示す平面図、斜視図および構成図である。
【図２５】本発明に係る薬液注入装置の他の例を示す構成図である。
【発明を実施するための形態】
【００１６】
以下、添付図面を参照して本発明の好適な実施例を説明する。
【００１７】
［第１実施形態の薬液流量制御装置］
本発明の第１実施形態に係る薬液流量制御装置が図１乃至図１１に示されている。
【００１８】
図１及び図２を参照すると、本発明の第１実施形態に係る薬液流量制御装置は、下側の第１ケース１０Ａ、及び第１ケース１０Ａに結合される上側の第２ケース１０Ｂから構成されたケースと、使用者の操作に応じて作動する操作ノブ２０と、薬液を移送する２つの薬液移送ライン３０Ａ、３０Ｂとを含む。
【００１９】
図２及び図５を参照すると、ケース１０Ａ、１０Ｂの内部には、Ｚ軸方向である上下方向の軸線ＣＬを中心に操作ノブ２０が回転可能に設置される。具体的に、ケース本体である第１ケース１０Ａの底部には軸部材１１が上下方向に立てられ、操作ノブ２０の下側には軸部材１１が挿入される中心溝部２１が上下方向に設けられ、操作ノブ２０は軸部材１１を中心に回転する。カバーである第２ケース１０Ｂには、操作ノブ２０の上側をケース１０Ａ、１０Ｂの外部に露出させるノブ開口１２が設けられる。
【００２０】
図２、図５乃至図７を参照すると、薬液移送ライン３０Ａ、３０Ｂは、それぞれ弾性変形可能なチューブ３１、３２を有する。図５乃至図７に示すように、薬液移送ライン３０Ａ、３０Ｂは、ケース１０Ａ、１０Ｂの内部空間で操作ノブ２０の外周の一側にチューブ３１、３２が互いに異なる第１、第２高さＨ１、Ｈ２に位置するように配置され、チューブ３１、３２は操作ノブ２０の外周の一側に集中的に配置される。薬液移送ライン３０Ａ、３０Ｂは、一部または全体がチューブ３１、３２から構成できる。チューブ３１、３２はＹ軸方向に配置できる。チューブ３１、３２としては、フラットに圧着されたり原状に復元されたりするシリコンチューブやＰＶＣチューブなどが適用できる。
【００２１】
図３及び図５を参照すると、ケース１０Ａ、１０Ｂの内部空間には、操作ノブ２０との間にチューブ３１、３２が位置するように配置された状態でチューブ３１、３２を支持するチューブ支持部材４０が備えられる。チューブ支持部材４０における操作ノブ２０側に臨む前方側には、互いに異なる高さＨ１、Ｈ２上のチューブ３１、３２がそれぞれ収容されるチューブ収容溝部４１、４２がチューブ支持部材４０の長さ方向に沿って設けられる。
【００２２】
図３、図６および図７に示されているように、チューブ支持部材４０は、第１ケース１０Ａの内壁に取り外し可能に装着される。このため、第１ケース１０Ａの内壁の両側には、第１ケース１０Ａの内壁との間に挿入溝部を形成する嵌合顎部１３がそれぞれ設けられ、チューブ支持部材４０の長さ方向の両側には、両側の嵌合顎部１３によって形成された挿入溝部にそれぞれ嵌め込まれる嵌込部４３が設けられる。嵌合顎部１３と嵌込部４３は、チューブ支持部材４０が上側から下側にスライド方式で結合できるように構成することが好ましい。
【００２３】
図２、図６および図７を参照すると、各チューブ収容溝部４１、４２に収容されたチューブ３１、３２は、チューブ支持部材４０の前方でチューブ支持部材４０の長さ方向の両側にそれぞれ結合され、チューブ収容溝部４１、４２の両端側を遮蔽する溝部カバー４５によって位置ずれが防止される。
【００２４】
図２乃至図５を参照すると、ケース１０Ａ、１０Ｂの内部では、薬液移送ライン３０Ａ、３０Ｂが開閉されるように、チューブ３１、３２が管路開閉手段５０によって圧着または圧着解除される。ケース１０Ａ、１０Ｂには、薬液移送ライン３０Ａ、３０Ｂに薬液を互いに異なる流量で分けて流入させる薬液分岐機構６０、及び薬液移送ライン３０Ａ、３０Ｂから流出する薬液を単一の流れに合流させる薬液合流機構６５が設置される。図１において、図面符号７０は、操作ノブ２０を回転させる操作に用いられる操作ハンドルである。
【００２５】
図３に示すように、薬液分岐機構６０は、薬液供給源からの薬液が流入する単一の流入管６１と、流入管６１から分岐して薬液移送ライン３０Ａ、３０Ｂの両端のうちのいずれか一方にそれぞれ接続された２つの流量調節管６２Ａ、６２Ｂとを含む。流入管６１は入口がケース１０Ａ、１０Ｂの外部に配置され、流量調節管６２Ａ、６２Ｂはケース１０Ａ、１０Ｂの内部に配置される。図１及び図２に示すように、流入管６１の入口には、薬液供給源からの薬液を移送し且つ薬液流入ラインを構成する薬液流入ホース２が接続される。流量調節管６２Ａ、６２Ｂとしては、管路の断面積が互いに異なる毛細管が適用できる。
【００２６】
薬液合流機構６５は、単一の合流管６６と、合流管６６から分岐して薬液移送ライン３０Ａ、３０Ｂの両端のうちの他方にそれぞれ接続された２つの分岐管６７とを含む。合流管６６は出口がケース１０Ａ、１０Ｂの外部に配置され、分岐管６７はケース１０Ａ、１０Ｂの内部に配置される。図１及び図２に示すように、合流管６６の出口には、合流管６６からの流出薬液を目的のところ（患者など）へ移送し且つ薬液流出ラインを構成する薬液流出ホース４が接続される。薬液流出ホース４には、薬液を投与対象（患者など）に注入するための注入ユニット（例えば、注射針やカテーテルなど）が接続できる。
【００２７】
薬液分岐機構６０には流量調節管６２Ａ、６２Ｂの代わりに分岐管が適用されてもよく、薬液合流機構６５には分岐管６７の代わりに流量調節管が適用されてもよい。または、薬液分岐機構６０には流量調節管６２Ａ、６２Ｂの代わりに分岐管が適用されてもよく、薬液移送ライン３０Ａ、３０Ｂは一部が流量調節管から構成されてもよい。
【００２８】
図１に示すように、操作ハンドル７０は、ケース１０Ａ、１０Ｂの外部からノブ開口１２を介して操作ノブ２０の上側に脱着可能に結合される。このため、操作ノブ２０の上側には嵌合溝部２２が上下方向に設けられ、操作ハンドル７０は操作ハンドル７０の取っ手７１から延長され、嵌合溝部２２に嵌め込まれる嵌合ロッド７２を有する。
【００２９】
嵌合溝部２２に嵌合ロッド７２を嵌め込み、取っ手７１を用いて操作ハンドル７０を回転させると、操作ノブ２０は操作ハンドル７０と同じ方向に回転する。操作ノブ２０の操作が操作ハンドル７０のみによって行われるようにするために、嵌合溝部２２は、内周が円形、外周が多角形（８角形など）である形状に形成し、嵌合ロッド７２は、このような嵌合溝部２２の形状に対応する形状に形成することができる。
【００３０】
図２、図４乃至図７を参照すると、管路開閉手段５０は、操作ノブ２０の回転角度に応じて、薬液移送ライン３０Ａ、３０Ｂを全て開放または閉鎖するか、薬液移送ライン３０Ａ、３０Ｂの一部のみを閉鎖することにより、合流管６６から流出する薬液の流量を調節する。開閉手段５０は、操作ノブ２０とチューブ３１、３２との間に介在する２つの板バネ５１、５２と、円形の操作ノブ２０の外周に設けられた複数の凹部５４Ａ、５５Ａ、５４Ｂ、５５Ｂとを含む。
【００３１】
図５乃至図７に示すように、板バネ５１、５２は、チューブ３１、３２の高さＨ１、Ｈ２に対応する各高さ上に配置され、円形の操作ノブ２０の外周に接触することによりチューブ３１、３２側にふっくらと曲がって各高さＨ１、Ｈ２上のチューブ３１、３２を圧迫することで、薬液移送ライン３０Ａ、３０Ｂを選択的に閉鎖する。
【００３２】
凹部５４Ａ、５５Ａ、５４Ｂ、５５Ｂは、板バネ５１、５２と対応する各高さＨ１、Ｈ２上に少なくとも一つずつ設けられ、それぞれ凹状をしている。凹部５４Ａ、５５Ａ、５４Ｂ、５５Ｂは、操作ノブ２０が回転して、対応する高さＨ１、Ｈ２上の板バネ５１、５２と対向するように位置するときに、対応する高さＨ１、Ｈ２上の曲がった板バネ５１、５２が中に進入しながら原状に復元されることにより、板バネ５１、５２によるチューブ３１、３２の圧迫状態を解除する。つまり、薬液移送ライン３０Ａ、３０Ｂを選択的に開放させるのである。
【００３３】
板バネ５１、５２は、弾性を有する金属または合成樹脂からなってもよい。図２、図６および図７に示すように、板バネ５１、５２は、両側の溝部カバー４５に長さ方向の両端側がそれぞれ接続される。板バネ５１、５２は溝部カバー４５と一体型であってもよい。
【００３４】
図６及び図７に示すように、板バネ５１、５２は、チューブ３１、３２に臨む側にチューブ３１、３２に向かって突出した加圧部Ｐ１が設けられる。加圧部Ｐ１は、板バネ５１、５２がチューブ３１、３２側にふっくらと曲がると、チューブ３１、３２に圧迫を加えてチューブ３１、３２を圧着（管路閉鎖）させる。加圧部Ｐ１は、先端が尖るように形成できる。板バネ５１、５２は、操作ノブ２０の外周に臨む側に、操作ノブ２０の外周に接触する或いは凹部５４Ａ、５５Ａ、５４Ｂ、５５Ｂの中へ進入する突出部Ｐ２が設けられる。
【００３５】
図２、図４及び図５を参照すると、凹部５４Ａ、５５Ａ、５４Ｂ、５５Ｂは、板バネ５１、５２と対応する各高さＨ１、Ｈ２上に２つずつ設けられる。具体的には、図２及び図４に示すように、第１高さＨ１の第１凹部５４Ａ及び第２凹部５５Ａは、操作ノブ２０の外周方向に沿って９０度の間隔をおいて配置される。そして、高さが第１高さＨ１に比べて高い第２高さＨ２の第１凹部５４Ｂは、第１高さＨ１の第１凹部５４Ａと上下方向に同一の直線上に位置するように配置され、第２高さＨ２の第２凹部５５Ｂは、操作ノブ２０の外周方向に沿って第２高さＨ２の第１凹部５４Ｂと１８０度の間隔をおいて配置される。第１高さＨ１の第１凹部５４Ａと第２高さＨ２の第１凹部５４Ｂは、互いに連通している一体型の構造を持つように形成できる。
【００３６】
このような凹部５４Ａ、５５Ａ、５４Ｂ、５５Ｂの配置構造によれば、薬液移送ライン３０Ａ、３０Ｂは、操作ノブ２０を９０度の角度単位で回転させるとき、チューブ３１、３２の全部または一部が板バネ５１、５２によって圧迫されるか或いは板バネ５１、５２による圧迫状態がすべて解除されることで開閉される。
【００３７】
図２及び図４において、図面符号２３は、操作ノブ２０の上側縁に沿って設けられた係止段部である。係止段部２３は、ノブ開口１２の周辺との係止作用によって操作ノブ２０が上方に移動することによる位置ずれを防止する。
【００３８】
図２、図４及び図５において、図面符号１４及び２４は、操作ノブ２０を９０度の角度単位で回転させることができるように操作ノブ２０の位置を決定する回転角度決定手段である。回転角度決定手段１４、２４は、中心溝部２１の周囲に位置するように操作ノブ２０の下側に円周方向に沿って９０度の間隔で設けられた４つの係止溝部２４と、第１ケース１０Ａの底部に操作ノブ２０の回転角度に応じて係止溝部２４のうちの少なくとも一つに係合される係止突起１４とを含む。係止突起１４と係止溝部２４のうちの少なくとも一つは、係止溝部２４に係止突起１４が自然に係合または係脱できるように案内作用をする斜面、またはラウンド処理の施された曲面を持つことができる。係止突起１４と係止溝部２４は、位置が互いに入れ替わってもよい。または、係止溝部２４を１つだけ備える代わりに、係止突起１４を４つ備えてもよい。
【００３９】
本発明の第１実施形態に係る薬液流量制御装置は、２つの流量調節管６２Ａ、６２Ｂのうち、第１高さＨ１のチューブ３１を有する薬液移送ライン３０Ａに接続された流量調節管６２Ａは薬液が２ｍＬ／ｈの流速で流れ、第２高さＨ２のチューブ３２を有する薬液移送ライン３０Ｂに接続された流量調節管６２Ｂは薬液が１ｍＬ／ｈの流速で流れるように構成した場合、次のように合計４つのモードの中からいずれか一つを選択して、投与対象に投与される薬液の量を調節することができる。次に、図８乃至図１１を参照してこれを考察する。
【００４０】
図８に示すように、板バネ５１、５２が、上下方向に同一の直線上に配置された第１及び第２高さＨ１、Ｈ２の第１凹部５４Ａ、５４Ｂと対向するように位置した状態で、操作ノブ２０を上方から見たときに時計回りに９０度回転（凹部の配置構造によっては反時計回りに９０度回転）させると、図９に示すように、板バネ５１、５２はいずれも操作ノブ２０の外周に接触しながらチューブ３１、３２側にふっくらと曲がり、これにより、チューブ３１、３２はいずれも板バネ５１、５２によって加圧された閉鎖状態に維持される。これは、合流管６６から薬液が流出しないオフ（ＯＦＦ、０ｍＬ／ｈ）モードである。勿論、このように操作ノブ２０を９０度回転させる過程で、係止突起１４は係止溝部２４から係脱して隣接の次の係止溝部２４に係合されながら、操作ノブ２０は位置が決定される。
【００４１】
次いで、操作部材２０を上方から見たときに時計回りに９０度さらに回転させると、図１０に示すように、第１高さＨ１の板バネ５１は曲がったままに維持され、第１高さＨ１のチューブ３１は第１高さＨ１の板バネ５１によって加圧された閉鎖状態に維持され、第２高さＨ２の板バネ５２は第２高さＨ２の第２凹部５５Ｂ内に進入することにより、曲がった状態から原状に復元され、第２高さＨ２のチューブ３２は第２高さＨ２の板バネ５２による加圧が解除された開放状態になることにより、合流管６６からは薬液が１ｍＬ／ｈの流速で流出する。
【００４２】
次に、操作部材２０を上方から見たときに時計回りに９０度さらに回転させると、図１１に示すように、第１高さＨ１の板バネ５１は、第１高さＨ１の第２凹部５５Ａ内に進入することにより、曲がった状態から原状に復元され、第１高さＨ１のチューブ３１は第１高さＨ１の板バネ５１による加圧が解除された開放状態となり、第２高さＨ２の板バネ５２は、操作ノブ２０の外周に接触することにより、原状から第２高さＨ２のチューブ３２側に曲がるように変形して、第２高さＨ２のチューブ３２は第２高さＨ２の板バネ５２によって加圧された閉鎖状態になることにより、合流管６６からは薬液が２ｍＬ／ｈの流速で流出する。
【００４３】
次いで、操作部材２０を上方から見たときに反時計回りに９０度さらに回転させて１回転が完了すると、図８に示すように、第１高さＨ１の板バネ５１は、第１高さＨ１の第１凹部５４Ａ内に進入することにより、原状のまま維持され、第１高さＨ１のチューブ３１は第１高さＨ１の板バネ５１による加圧が解除された開放状態に維持され、第２高さＨ２の板バネ５２は第２高さＨ２の第１凹部５４Ｂ内に進入することにより、曲がった状態から原状に復元され、第２高さＨ２のチューブ３２は第２高さＨ２の板バネ５２による加圧が解除された開放状態になることにより、合流管６６からは薬液が３ｍＬ／ｈの流速で流出する。
【００４４】
上述したような作動をまとめてみると、下記表１のとおりである。
【００４５】
【表１】
0006550129.tif 000002
【００４６】
このように作動する本発明の第１実施形態に係る薬液流量制御装置は、次のとおり非常に有用に使用できる。
【００４７】
手術患者の場合には、手術種類または個人差によって痛みを感じる程度に差があるが、ほとんどが手術後の初期には非常に激しい痛みを感じ、時間の経過に伴って痛みは徐々に減少し、約３日が経過すると、かなり緩和する。このため、手術患者に痛み管理を目的として薬液を投与する際に、手術後の初期には、図８の如く、薬液移送ライン３０Ａ、３０Ｂが全て開放されたモードを選択し、その後、痛みが減少するにつれて薬液投与量が段階的に減少するようにモードを切り替えることができる。
【００４８】
末期癌患者の場合には、手術患者とは対照的に、時間が経過するほど感じる痛みが益々増加するので、薬液の投与量を段階的に増加させることができる。
【００４９】
一方、本発明の第１実施形態に係る薬液流量制御装置は、チューブ３１、３２及び板バネ５１、５２が多数の箇所に分散されることなく操作ノブ２０の外周の一側に集中的に配置されるので、薬液移送ライン３０Ａ、３０Ｂの配置構造及び板バネ５１、５２の設置構造をより単純化することができ、これによりコンパクト化、組立性の向上、維持及び保守面で有利な効果がある。
【００５０】
以上で説明されていない図面符号１５は指示部を示す。指示部１５は、ノブ開口１２の周囲の一側に位置するように第２ケース１０Ｂの上側に設けられ、外部から見ることができ、操作ノブ２０の上側における嵌合溝部２２の周囲には、操作ノブ２０が９０度の角度単位で回転するたびに、指示部１５が指し示す薬液の流速（０ｍＬ／ｈ、１ｍＬ／ｈ、２ｍＬ／ｈ、３ｍＬ／ｈ）またはモード（０、Ａ、Ｂ、Ｃ）が表示される。
【００５１】
［第２実施形態の薬液流量制御装置］
本発明の第２実施形態に係る薬液流量制御装置が図１２乃至図２０に示されている。
【００５２】
本発明の第２実施形態に係る薬液流量制御装置は、２つの薬液移送ラインを選択的に開閉して薬液の流量を調節するように構成されることにより、２チャネル構造を持つ第１実施形態の薬液流量制御装置と比較するとき、その他の構成および作用は同一であるのに対し、３チャネルの構造を持つように構成された点のみが相違する。次に、これを説明する。
【００５３】
本発明の第２実施形態に係る薬液流量制御装置は、３チャネルの構造のために薬液移送ライン１３０Ａ、１３０Ｂ、１３０Ｃ、板バネ１５１、１５２、１５３、流量調節管１６２Ａ、１６２Ｂ、１６２Ｃ及び分岐管１６７を３つずつ備え、凹部を１２つ備える。
【００５４】
薬液移送ライン１３０Ａ、１３０Ｂ、１３０Ｃは、そのチューブ１３１、１３２、１３３が操作ノブ１２０の外周の一側に互いに異なる第１、第２および第３高さＨ１１、Ｈ１２、Ｈ１３に位置するように配置される。もちろん、各高さＨ１１、Ｈ１２、Ｈ１３上のチューブ１３１、１３２、１３３は、チューブ支持部材１４０に設けられた３つのチューブ収容溝部に個別に収容され、薬液移送ライン１３０Ａ、１３０Ｂ、１３０Ｃは、流量調節管１６２Ａ、１６２Ｂ、１６２Ｃと分岐管１６７に両端側がそれぞれ接続される。  
【００５５】
板バネ１５１、１５２、１５３は、操作ノブ１２０の外周と上下に配置されたチューブの１３１、１３２、１３３との間に位置するように、チューブ１３１、１３２、１３３の高さＨ１１、Ｈ１２、Ｈ１３に対応する各高さ上に配置される。
【００５６】
凹部は、操作ノブ１２０の外周における、板バネ１５１、１５２、１５３と対応する各高さＨ１１、Ｈ１２、Ｈ１３上に４つずつ設けられ、板バネ１５１、１５２、１５３との複合作用でチューブ１３１、１３２、１３３を選択的に圧迫または圧迫解除して薬液移送ライン１３０Ａ、１３０Ｂ、１３０Ｃを全部開放または閉鎖させるか、或いは薬液移送ライン１３０Ａ、１３０Ｂ  、１３０Ｃの一部のみを開放させることができるように配置される。
【００５７】
本発明の第２実施形態に係る薬液流量制御装置は、第１高さＨ１１上のチューブ１３１を有する薬液移送ライン１３０Ａに接続された流量調節管１６２Ａは薬液が４ｍＬ／ｈの流速で流れ、第２高さＨ１２上のチューブ１３２を有する薬液移送ライン１３０Ｂに接続された流量調節管１６２Ｂは薬液が２ｍＬ／ｈの流速で流れ、第３高さＨ１３上のチューブ１３３を有する薬液移送ライン１３０Ｃに接続された流量調節管１６２Ｃは薬液が１ｍＬ／ｈの流速で流れるように構成した場合、合計８つのモードの中からいずれか一つを選択して、投与対象に投与される薬液の量を調節することができる。
【００５８】
図１３に示すように、板バネ１５１、１５２、１５３が上下方向に同一の直線上に配置された第１乃至第３高さＨ１１、Ｈ１２、Ｈ１３の第１凹部１５４Ａ、１５４Ｂ、１５４Ｃと対向するように位置した状態で、操作ノブ１２０を上方から見たときに反時計回りに４５度回転（凹部の配置構造によっては時計回りに４５度回転）させると、図１４に示すように、板バネ１５１、１５２、１５３はいずれも操作ノブ１２０の外周と接触しながらチューブ１３１、１３２、１３３側にふっくらと曲がり、これによりチューブ１３１、１３２、１３３はいずれも板バネ１５１、１５２、１５３によって加圧された閉鎖状態になる。これはオフ（０ｍＬ／ｈ）モードである。
【００５９】
次に、操作ノブ１２０を４５度さらに回転させると、図１５に示すように、第１及び第２高さＨ１１、Ｈ１２の板バネ１５１、１５２は操作ノブ１２０の外周にそれぞれ接触し、第３高さＨ１３の板バネ１５３は第３高さＨ１３の第２凹部１５５Ｃに進入する。これによれば、第１と第２高さＨ１１、Ｈ１２のチューブ１３１、１３２は閉鎖状態となり、第３高さＨ１３のチューブ１３３は第３高さＨ１３の板バネ１５３が原状に復元されることにより、第３高さＨ１３の板バネ１５３による加圧が解除された開放状態となるので、合流管１６６からは薬液が１ｍＬ／ｈの流速で流出する。
【００６０】
その後、操作ノブ１２０を４５度さらに回転させると、図１６に示すように、第１と第３高さＨ１１、Ｈ１３の板バネ１５１、１５３は操作ノブ１２０の外周にそれぞれ接触し、第２高さＨ１２の板バネ１５２は第２高さＨ１２の第２凹部１５５Ｂに進入する。よって、第１と第３高さＨ１１、Ｈ１３のチューブ１３１、１３３は閉鎖状態、第２高さＨ１２のチューブ１３２は開放状態になり、合流管１６６からは薬液が２ｍＬ／ｈの流速で流出する。
【００６１】
次に、操作ノブ１２０を４５度さらに回転させると、図１７に示すように、第１高さＨ１１の板バネ１５１は操作ノブ１２０の外周に接触し、第２と第３高さＨ１２、Ｈ１３の板バネ１５２、１５３は第２と第３高さＨ１２、Ｈ１３の第３凹部１５６Ｂ、１５６Ｃにそれぞれ進入する。よって、第１高さＨ１１のチューブ１３１は閉鎖状態、第２と第３高さＨ１２、Ｈ１３のチューブ１３２、１３３は開放状態になり、合流管１６６からは薬液が３ｍＬ／ｈの流速で流出する。
【００６２】
次いで、操作ノブ１２０を４５度さらに回転させると、図１８に示すように、第２と第３高さＨ１２、Ｈ１３の板バネ１５２、１５３は操作ノブ１２０の外周にそれぞれ接触し、第１高さＨ１１の板バネ１５１は第１高さＨ１１の第２凹部１５５Ａに進入する。よって、第２と第３高さＨ１２、Ｈ１３のチューブ１３２、１３３は閉鎖状態、第１高さＨ１１のチューブ１３１は開放状態になり、合流管１６６からは薬液が４ｍＬ／ｈの流速で流出する。
【００６３】
その後、操作ノブ１２０を４５度さらに回転させると、図１９に示すように、第２高さＨ１２の板バネ１５２は操作ノブ１２０の外周に接触し、第１と第３高さＨ１１、Ｈ１３の板バネ１５１、１５３は第１高さＨ１１の第３凹部１５６Ａと第３高さＨ１３の第４凹部１５７Ｃに進入する。よって、第２高さＨ１２のチューブ１３２は閉鎖状態、第１と第３高さＨ１１、Ｈ１３のチューブ１３１、１３３は開放状態になり、合流管１６６からは薬液が５ｍＬ／ｈの流速で流出する。
【００６４】
次いで、操作ノブ１２０を４５度さらに回転させると、図２０に示すように、第３高さＨ１３の板バネ１５３は操作ノブ１２０の外周に接触し、第１と第２高さＨ１１、Ｈ１２の板バネ１５１、１５２は第１と第２高さＨ１１、Ｈ１２の第４凹部１５７Ａ、１５７Ｂに進入する。これにより、第３高さＨ１３のチューブ１３３は閉鎖状態、第１と第２高さＨ１１、Ｈ１２のチューブ１３１、１３２は開放状態になり、合流管１６６からは薬液が６ｍＬ／ｈの流速で流出する。
【００６５】
その後、操作ノブ１２０を４５度さらに回転させて１回転が完了すると、図１３に示すように、板バネ１５１、１５２、１５３は第１凹部１５４Ａ、１５４Ｂ、１５４Ｃにそれぞれ進入する。この際、チューブ１３１、１３２、１３３はいずれも開放状態になり、合流管１６６からは薬液が７ｍＬ／ｈの流速で流出する。
【００６６】
上述したような本発明の第２実施形態に係る薬液流量制御装置の作動をまとめてみると、下記表２のとおりである。
【００６７】
【表２】
0006550129.tif 000003
【００６８】
図１２で説明されていない図面符号１１０Ａと１１０Ｂは互いに結合する下側の第１ケースと上側の第２ケースであり、図面符号１１２はノブ開口である。
【００６９】
［第３実施形態の薬液流量制御装置］
本発明の第３実施形態に係る薬液流量制御装置が図２１に示されている。図２１に示すように、本発明の第３実施形態に係る薬液流量制御装置は、２チャネル（または、３チャネル）構造を持つ第１実施形態（または、第２実施形態）の薬液流量制御装置と比較するときに、その他の構成および作用は同一であるのに対し、４チャネル構造を持つように構成された点のみが相違する。
【００７０】
本発明の第３実施形態に係る薬液流量制御装置は、第１高さ上のチューブを有する薬液移送ライン２３０Ａに接続された流量調節管は薬液が８ｍＬ／ｈの流速で流れ、第２高さ上のチューブを有する薬液移送ライン２３０Ｂに接続された流量調節管は薬液が４ｍＬ／ｈの流速で流れ、第２高さ上のチューブを有する薬液移送ライン２３０Ｃに接続された流量調節管は薬液が２ｍＬ／ｈの流速で流れ、第４高さ上のチューブを有する薬液移送ライン２３０Ｄに接続された流量調節管は薬液が１ｍＬ／ｈの流速で流れるように構成した場合、操作ノブ２２０を２２．５度の角度間隔で回転させながら、合計１６個のモードの中からいずれか一つを選択して、投与対象に投与される薬液の量を調節することができる。これをまとめてみると、下記表３のとおりである。
【００７１】
【表３】
0006550129.tif 000004
【００７２】
以上では、本発明に係る薬液流量制御装置が２チャネル、３チャネルまたは４チャネル構造である実施形態を説明したが、本発明に係る薬液流量制御装置は、これに限定されず、５チャネル以上の構造のために、薬液移送ラインの個数が適切に増加でき、板バネ、流量調節管、分岐管等の個数も適切に増加できる。また、高さごとに設けられる凹部の個数も適切に増加でき、高さごとの凹部の配置構造も適切に変更できる。
【００７３】
そして、本発明に係る薬液流量制御装置において、流量調節管は、薬液流速が１ｍＬ／ｈ、２ｍＬ／ｈ、または１ｍＬ／ｈ、２ｍＬ／ｈ、４ｍＬ／ｈなどのように設定されたことを例示したが、これは０．５ｍＬ／ｈ、１．０ｍＬ／ｈ、または０．５ｍＬ／ｈ、１．０ｍＬ／ｈ、２ｍＬｈなどの組み合わせに設定を変更することもできる。
【００７４】
［薬液注入器の一例］
本発明に係る薬液流量制御装置を含む薬液注入器の一例が図２２乃至図２４に示されている。
【００７５】
図２２乃至図２４に示すように、薬液注入器の一例には、使用者の操作に応じて、投与対象に持続的に投与される薬液の量を調節する３チャネル構造の薬液流量制御装置（図面符号１２０、１３０Ａ、１３０Ｂ、１３０Ｃ、１４０などを参照）、及び、使用者の操作に応じて、投与対象に投与される薬液の量を瞬間的に増加させるボーラス装置（ｂｏｌｕｓ  ａｐｐａｒａｔｕｓ）（図面符号８１、８２などを参照）が適用される。勿論、薬液流量制御装置としては、３チャネルではなく、２チャネルまたは４チャネル以上の構造を持つものが適用されてもよい。
【００７６】
薬液流量制御装置及びボーラス装置は、互いに結合される下側の第１ケースと上側の第２ケースとを含むケースに設置される。
【００７７】
薬液流量制御装置は、第２実施形態に係る３チャネル構造の薬液流量制御装置と同一または類似に構成される。これにより、薬液流量制御装置を説明するにあたり、第２実施形態の薬液流量制御装置と同様の構成については同一の符号を付与することにする。
【００７８】
薬液流量制御装置は、操作ノブ１２０、３つの第１薬液移送ライン１３０Ａ、１３０Ｂ、１３０Ｃ、チューブ支持部材１４０、及び第１管路開閉手段（板バネ及び凹部）を含む。操作ノブ１２０を回転させると、チューブ支持部材１４０によって支持された第１薬液移送ライン１３０Ａ、１３０Ｂ、１３０Ｃが操作ノブ１２０の回転角度に応じて第１管路開閉手段によって選択的に開閉される。これらは第２実施形態に係る薬液流量制御装置のそれと実質的に同様に構成されるので、これについての詳細な説明は省略する。
【００７９】
ボーラス装置は、単一の第２薬液移送ライン８１と、第２薬液移送ライン８１上に備えられて内部に第２薬液移送ライン８１からの薬液が貯留され、貯留された薬液を流出側へ圧送する薬液圧送ユニット８２とを含む。
【００８０】
薬液圧送ユニット８２は、内部に第２薬液移送ライン８１からの薬液が貯留されるボーラスバッグ（ｂｏｌｕｓ  ｂａｇ）８３と、押圧操作の際にボーラスバッグ８３に外力を加えるプッシュボタン８４と、プッシュボタン８４の操作に応じて第２薬液移送ライン８１の管路を開閉する第２管路開閉手段８５とを含む。プッシュボタン８４を押圧すると、ボーラスバッグ８３に貯留された薬液は流出側へ圧送される。第２管路開閉手段８５は、プッシュボタン８４を押圧すると、第２薬液移送ライン８１の管路を開放し、逆にプッシュボタン８４の押圧操作を解除すると、第２薬液移送ライン８１の管路を閉鎖するように構成される。これらは韓国登録特許公報第１１２６２１３号に開示されているので、これについての詳細な説明は省略する。
【００８１】
図面符号１６０は薬液分岐機構であり、１６５は薬液合流機構であり、９０は薬液流出持続装置である。
【００８２】
薬液分岐機構１６０は、単一の流入管１６１、流入管１６１から分岐された単一の流量調節管１６２、及び３つの分岐管１６３から構成できる。薬液分岐機構１６０において、流入管１６１には薬液流入ホース２が接続され、流量調節管１６２には第２薬液移送ライン８１の一端が接続され、分岐管１６３には第１薬液移送ライン１３０Ａ、１３０Ｂ、１３０Ｃの一端がそれぞれ接続できる。
【００８３】
薬液合流機構１６５は、単一の合流管１６６、合流管１６６から分岐された単一の分岐管１６７、及び３つの流量調節管１６８から構成できる。薬液合流機構１６５において、合流管１６６には薬液流出ホース４が接続され、分岐管１６７には第２薬液移送ライン８１の他端が接続され、流量調節管１６８には第１薬液移送ライン１３０Ａ、１３０Ｂ、１３０Ｃの他端がそれぞれ接続できる。
【００８４】
このような薬液分岐機構１６０及び薬液合流機構１６５は、第２実施形態に係る薬液流量制御装置のそれと比較してみるときに、薬液を第１薬液移送ライン１３０Ａ、１３０Ｂ、１３０Ｃと第２薬液移送ライン８１に分けて流入させ、第１薬液移送ライン１３０Ａ、１３０Ｂ、１３０Ｃと第２薬液移送ライン８１から流出する薬液を単一の流れに合流させるように構成された点のみが相違するだけで、その他の構成および作用は同一または類似である。
【００８５】
薬液流出持続装置９０は、薬液流出ホース４上に設置されてケースの外部に配置される。薬液流出持続装置９０は、プッシュボタン８４の押圧操作時に第２薬液移送ライン８１から圧送される薬液を一時的に貯留し、一時的に貯留された薬液を薬液流出ホース４から持続的に流出させるように構成される。このような薬液流出持続装置９０は、ボーラスバッグ８３から圧送される薬液の圧力で膨張するバルーン（ｂａｌｌｏｏｎ）、及び膨張したバルーンの収縮時に流出する薬液が逆流するのを防止する逆流防止機構を含む。これは、韓国登録特許公報第１１２６２１３号に開示されているので、これについての詳細な説明は省略する。
【００８６】
このような薬液注入器の一例によると、薬液流入ホース２からの薬液は、薬液分岐機構１６０で分岐され、第１薬液移送ライン１３０Ａ、１３０Ｂ、１３０Ｃと第２薬液移送ライン８１に流入する。
【００８７】
薬液流量制御装置がオフ（０ｍＬ／ｈ）モードに設定されていない場合、第１薬液移送ライン１３０Ａ、１３０Ｂ、１３０Ｃに提供された薬液は、薬液流量制御装置によって設定された流量が薬液合流機構１６５に流入する。第２薬液移送ライン８１に提供された薬液は、ボーラスバッグ８３に貯留されるが、プッシュボタン８４を押圧すれば第２薬液移送ライン８１の管路が開放されるので、ボーラスバッグ８３に貯留された薬液は、薬液合流機構１６５側へ流出しない。これによれば、薬液は薬液流量制御装置によって設定された流量が投与対象に持続的に投与される。
【００８８】
このような状態でプッシュボタン８４を押圧すると、第２薬液移送ライン８１は管路が開放され、ボーラスバッグ８３は圧着されるので、ボーラスバッグ８３に貯留された薬液は、圧送されて薬液合流機構１６５に流入する。これによれば、投与対象には瞬間的に大量の薬液（第１薬液移送ラインからの薬液及びボーラスバッグからの薬液）が投与される。勿論、この過程で薬液合流機構１６５から流出する薬液は、薬液流出持続装置９０に一時的に貯留された後、投与対象に持続的に提供される。
【００８９】
［薬液注入器の他の例］
本発明に係る薬液流量制御装置を含む薬液注入器の他の例が図２５に示されている。図２５に示すように、薬液注入器の他の例は、薬液注入器の一例と比較してみるとき、その他の構成及び作用は同一であるのに対し、ボーラス装置に提供される薬液の流量を調節することができるように構成した点のみが相違する。次に、これを説明する。参考までに、薬液注入器の一例と同一の構成については同一の符号を付与することにする。
【００９０】
薬液注入器の他の例は、使用者の操作に応じて、投与対象に持続的に投与される薬液の量を調節する３チャネル構造の第１薬液流量制御装置、使用者の操作に応じて、投与対象に投与される薬液の量を瞬間的に増加させるボーラス装置、及び、使用者の操作に応じて、ボーラス装置に提供される薬液の量を調節する２チャネル構造の第２薬液流量制御装置（図面符号３２０、３３０Ａ、３３０Ｂ、３４０などを参照）を含む。勿論、第２薬液流量制御装置は、２チャネルではなく、３チャネル以上の構造を持つように構成されてもよい。
【００９１】
第１薬液流量制御装置は、第１操作ノブ１２０、３つの第１薬液移送ライン１３０Ａ、１３０Ｂ、１３０Ｃ、第１チューブ支持部材１４０、及び第１管路開閉手段を含む。
【００９２】
第２薬液流量制御装置は、第２操作ノブ３２０、２つの第２薬液移送ライン３３０Ａ、３３０Ｂ、第２チューブ支持部材３４０、及び第２管路開閉手段（板バネ及び凹部）を含む。第２操作ノブ３２０を回転させると、第２チューブ支持部材３４０によって支持された第２薬液移送ライン３３０Ａ、３３０Ｂが第２操作ノブ３２０の回転角度に応じて第２管路開閉手段によって選択的に開閉される。これらは第１実施形態に係る薬液流量制御装置のそれと実質的に同様に構成されるので、これについての詳細な説明は省略する。
【００９３】
図面符号２６０は薬液分岐機構であり、２６５は第１薬液合流機構であり、３６５は第２薬液合流機構である。
【００９４】
薬液分岐機構２６０は、単一の流入管２６１、及び流入管２６１から分岐された２つの流量調節管２６２、及び３つの分岐管２６３から構成できる。薬液分岐機構２６０において、流入管２６１には薬液流入ホース２が接続され、流量調節管２６２には第２薬液移送ライン３３０Ａ、３３０Ｂの一端がそれぞれ接続され、分岐管２６３には第１薬液移送ライン１３０Ａ、１３０Ｂ、１３０Ｃの一端がそれぞれ接続できる。
【００９５】
一例として、薬液分岐機構２６０の流量調節管２６２のうち、いずれか一つは薬液が１ｍＬ／ｈの流速で流れ、他の一つは薬液が２ｍＬ／ｈの流速で流れるように構成できる。
【００９６】
第１薬液合流機構２６５は、単一の合流管２６６、合流管２６６から分岐された単一の分岐管２６７、及び３つの流量調節管２６８から構成できる。第２薬液合流機構３６５は、単一の合流管３６６、及び合流管３６６から分岐された２つの分岐管３６７から構成できる。
【００９７】
第１薬液合流機構２６５において、合流管２６６には薬液流出ホース４が接続され、流量調節管２６８には第１薬液移送ライン１３０Ａ、１３０Ｂ、１３０Ｃの他端がそれぞれ接続できる。そして、第２薬液合流機構３６５の分岐管３６７には、第２薬液移送ライン３３０Ａ、３３０Ｂの他端がそれぞれ接続できる。
【００９８】
第１薬液合流機構２６５の分岐管２６７と第２薬液合流機構３６５の合流管３６６には、合流ライン８１−１の両端がそれぞれ接続できる。
【００９９】
ボーラス装置を構成する薬液圧送ユニット８２は合流ライン８１−１上に備えられる。
【０１００】
このような薬液注入器の他の例は、ボーラス装置を使用しない場合には第２薬液流量制御装置をオフ（０ｍＬ／ｈ）モードに設定することで、薬液圧送ユニット８２のボーラスバッグ８３に薬液が流入、貯留されることを防止することができる。
【０１０１】
痛み管理を目的として使用する場合、患者が激しい痛みを感じたら、痛み軽減のためにプッシュボタン８４を頻繁に押圧することになる。そうすると、患者にややもすると薬液が過剰に投与されるおそれがある。このような場合には、第２薬液流量制御装置によってボーラスバッグ８３に相対的に少ない流量（例えば、１ｍＬ／ｈ）の薬液が流入するように設定すると、ボーラスバッグ８３に薬液が充填されるが、比較的長い時間がかかるので、患者がプッシュボタン８４を頻繁に押圧しても、薬液がこれに対応する量で追加投与されないため、患者に薬液が過剰に投与されることを防止することができる。
【０１０２】
以上、本発明を説明したが、本発明は、この明細書に開示された実施形態および添付図面によって限定されず、本発明の技術的思想を逸脱しない範囲内で、通常の技術者によって多様に変形できる。
【図１】
0006550129.tif 000005
【図２】
0006550129.tif 000006
【図３】
0006550129.tif 000007
【図４】
0006550129.tif 000008
【図５】
0006550129.tif 000009
【図６】
0006550129.tif 000010
【図７】
0006550129.tif 000011
【図８】
0006550129.tif 000012
【図９】
0006550129.tif 000013
【図１０】
0006550129.tif 000014
【図１１】
0006550129.tif 000015
【図１２】
0006550129.tif 000016
【図１３】
0006550129.tif 000017
【図１４】
0006550129.tif 000018
【図１５】
0006550129.tif 000019
【図１６】
0006550129.tif 000020
【図１７】
0006550129.tif 000021
【図１８】
0006550129.tif 000022
【図１９】
0006550129.tif 000023
【図２０】
0006550129.tif 000024
【図２１】
0006550129.tif 000025
【図２２】
0006550129.tif 000026
【図２３】
0006550129.tif 000027
【図２４】
0006550129.tif 000028
【図２５】
0006550129.tif 000029